(57)【要約】【課題】無効化したことを容易に把握できるＲＦＩＤタグ付き用紙を出力する画像形成装置を提供すること。【解決手段】ＭＦＰ１００は，用紙６０の挿入を検知し，その検知を契機にＲＦＩＤタグ６１との交信を試みる。ＲＦＩＤタグ６１を検知した場合には，そのＲＦＩＤタグ６１に記憶されているデータを無効化する処理を行う。ＲＦＩＤタグ６１を無効化した後は，ＭＦＰ１００に挿入された用紙６０に対して，ＲＦＩＤタグ６１を無効化したことを示す画像を印刷する。印刷後は，その用紙６０を排紙する。【選択図】            図４
2010117825.tif 000002
【特許請求の範囲】
【請求項１】
用紙に添付された記憶媒体が記憶するデータを無効化する無効化手段と，
前記無効化手段によって無効化処理が実施されたことを示す画像を，その無効化された記憶媒体を添付した用紙上に形成する画像形成手段とを備えたことを特徴とする画像形成装置。
【請求項２】
請求項１に記載する画像形成装置において，
前記無効化手段は，記憶媒体に記憶されたデータを取得し，その取得したデータを所定の記憶部に記憶し，そのデータを記憶媒体から消去するデータの移動処理を行うことを特徴とする画像形成装置。
【請求項３】
請求項２に記載する画像形成装置において，
前記画像形成手段は，前記無効化手段が記憶した記憶部のデータを含む画像を形成することを特徴とする画像形成装置。
【請求項４】
請求項１から請求項３のいずれか１つに記載する画像形成装置において，
前記画像形成手段は，前記無効化手段による無効化処理の完了後に，画像形成処理を開始することを特徴とする画像形成装置。
【請求項５】
請求項１から請求項４のいずれか１つに記載する画像形成装置において，
前記無効化手段は，データを無効化する処理形態として，少なくともデータの消去処理およびデータの移動処理を含む複数の処理形態が実施可能であり，それらの処理形態の中から１つの処理形態を選択することを特徴とする画像形成装置。
【請求項６】
請求項５に記載する画像形成装置において，
前記無効化手段は，記憶媒体に記憶されたデータの属性に基づいて処理形態を選択することを特徴とする画像形成装置。
【請求項７】
請求項１から請求項６のいずれか１つに記載する画像形成装置において，
記憶媒体が添付されていない用紙が搬入された場合には，その用紙に対して前記無効化手段による無効化処理および前記画像形成手段による画像形成処理を行わないことを特徴とする画像形成装置。
【発明の詳細な説明】
【技術分野】
【０００１】
本発明は，ＲＦＩＤ（Radio Frequency IDentification）タグ等の記憶媒体にアクセス可能な画像形成装置に関する。さらに詳細には，用紙に添付された記憶媒体（以下，便宜上「ＲＦＩＤタグ」と称する）が記憶するデータを無効化する機能を有する画像形成装置に関するものである。
【背景技術】
【０００２】
従来から，ＲＦＩＤタグが添付された用紙が提供されている。画像形成装置としては，ＲＦＩＤタグに記憶された付加情報を読み取る装置を内蔵し，読み取った付加情報に基づく画像を形成するものが提案されている。例えば，特許文献１には，ＩＣチップのデータを読み取り，そのデータが画像として印刷可能な付加情報であれば，付加情報がある旨をユーザに通知し，ユーザからの指示を受けてその付加情報を付した画像を印刷するコピー装置が開示されている。
【特許文献１】特開２００４−８８５８４号公報
【発明の開示】
【発明が解決しようとする課題】
【０００３】
しかしながら，前記した従来の画像形成装置には，次のような問題があった。すなわち，ＲＦＩＤタグが添付された用紙については，廃棄時や用済みとなった際に，ＲＦＩＤタグに記憶されているデータを無効にすることが望ましい。この点，ＲＦＩＤタグのデータをユーザの指示に従って消去する機能を設けることが考えられる。しかし，ＲＦＩＤタグのデータを消去した用紙について，その見かけ上，ＲＦＩＤタグのデータが消去されているものなのかそうでないものなのかの区別がつかない。そのため，データを消去し忘れて廃棄してしまうことが考えられる。
【０００４】
本発明は，前記した従来の画像形成装置が有する問題点を解決するためになされたものである。すなわちその課題とするところは，無効化したことを容易に把握できるＲＦＩＤタグ付き用紙を出力する画像形成装置を提供することにある。
【課題を解決するための手段】
【０００５】
この課題の解決を目的としてなされた画像形成装置は，用紙に添付された記憶媒体が記憶するデータを無効化する無効化手段と，無効化手段によって無効化処理が実施されたことを示す画像を，その無効化された記憶媒体を添付した用紙上に形成する画像形成手段とを備えたことを特徴としている。
【０００６】
本発明の画像形成装置は，無効化処理として，用紙に添付された記憶媒体（例えば，ＲＦＩＤタグ）に記憶されているデータを無効化する。無効化する手段としては，データを消去する，無効化済みである旨を意味する情報を記憶媒体に書き込む等が適用可能である。そして，無効になった記憶媒体を添付している用紙に対して，無効になったことを示す画像を形成する。無効化処理が実施されたことを示す画像としては，例えば，「無効化済み」等の文字やその旨を意味するマーク，記憶媒体に画像が記憶されているのであればその画像そのもの，記憶媒体に文字データが記憶されているのであればその文字データそのものが該当する。
【０００７】
すなわち，本発明の画像形成装置は，記憶媒体に記憶されているデータを無効化する際に，その記憶媒体を添付する用紙上にその記憶媒体が無効化されたことを示す画像が印刷される。このことから，記憶媒体が無効化された状態か否かを，用紙を見るだけで容易に把握できる。
【０００８】
また，本発明の画像形成装置の無効化手段は，記憶媒体に記憶されたデータを取得し，その取得したデータを所定の記憶部に記憶し，そのデータを記憶媒体から消去するデータの移動処理を行うとよりよい。すなわち，記憶媒体が記憶するデータを，他の記憶部（装置自身のハードディスクやサーバコンピュータ）に移動させる。これにより，記憶媒体は，データが消去されており，無効化される。一方，記憶媒体に記憶されていたデータは，所定の記憶部に残されている。そのため，その記憶部を参照することで，記憶媒体が無効化された後であってもそのデータを利用できる。なお，記憶部は，ユーザによって予め指定されたところであってもよいし，本画像形成装置が自動的に割り当てたところであってもよい。
【０００９】
また，上記の画像形成装置の画像形成手段は，無効化手段が記憶した記憶部のデータを含む画像を形成するとよりよい。記憶部のデータを用紙に印刷することで，記憶媒体に記憶していたデータをどこに記憶してあるかを容易に把握でき，後からの閲覧が容易になる。
【００１０】
また，本発明の画像形成装置の画像形成手段は，無効化手段による無効化処理の完了後に，画像形成処理を開始するとよりよい。すなわち，画像形成後に無効化処理を行っても一定の効果は期待できるが，無効化処理が完了した後にその旨を示す画像を形成することで，画像形成された用紙の記憶媒体が無効化されていることが確実になる。これにより，無効化されていないまま画像形成だけされて取り出されてしまう不適切な状況を回避できる。
【００１１】
また，本発明の画像形成装置の無効化手段は，データを無効化する処理形態として，少なくともデータの消去処理およびデータの移動処理を含む複数の処理形態が実施可能であり，それらの処理形態の中から１つの処理形態を選択するとよりよい。無効化形態を選択できることで，ユーザの利便性が向上する。
【００１２】
また，上記の画像形成装置の無効化手段は，記憶媒体に記憶されたデータの属性に基づいて処理形態を選択するとよりよい。データの処理形態を自動的に選択することで，ユーザの手間なく適切な処理を行うことができる。
【００１３】
また，本発明の画像形成装置は，記憶媒体が添付されていない用紙が搬入された場合には，その用紙に対して無効化手段による無効化処理および画像形成手段による画像形成処理を行わないとするとよりよい。これにより，無駄な処理を回避できる。
【発明の効果】
【００１４】
本発明によれば，無効化したことを容易に把握できるＲＦＩＤタグ付き用紙を出力する画像形成装置が実現される。
【発明を実施するための最良の形態】
【００１５】
以下，本発明にかかる画像形成装置を具体化した実施の形態について，添付図面を参照しつつ詳細に説明する。本形態は，スキャン機能，プリント機能，コピー機能，ＦＡＸ機能等の複数の機能を有する複合機（ＭＦＰ）に本発明を適用したものである。
【００１６】
［ＭＦＰの構成］
本形態のＭＦＰ１００は，図１に示すように，用紙に画像を印刷する画像形成部１０（画像形成手段の一例）と，原稿の画像を読み取る画像読取部２０とを備えている。画像形成部１０には，前面側に，手差しトレイ用の手差し口９３が設けられている。印刷の際，手差しトレイを指定し，手差し口９３から用紙を１枚ずつ挿入することで，その用紙を手動で装置内に搬入することができる。画像形成部１０の画像形成方式は，電子写真方式であっても，インクジェット方式であってもよい。また，カラー画像の形成が可能であっても，モノクロ画像専用であってもよい。
【００１７】
画像読取部２０には，前面側に，液晶ディスプレイからなる表示部４１，各種のボタン（例えば，スタートキー，ストップキー，テンキーの各ボタン）によって構成されるボタン群４２等を備えた操作パネル４０が設けられている。この表示部４１やボタン群４２により，動作状況の表示やユーザによる操作の入力が可能になっている。
【００１８】
また，ＭＦＰ１００は，ＲＦＩＤタグが添付された用紙について，そのＲＦＩＤタグに記憶されているデータを消去する無効化機能を備えている。無効化機能は，ユーザが操作パネル４０を操作し，ＲＦＩＤタグの無効化を指示することによって動作する。無効化処理の詳細については後述する。
【００１９】
［画像形成部の構成］
本形態の画像形成部１０は，周知の電子写真方式によって画像を形成するものであり，図２に示すように，画像を形成するプロセス部５０と，未定着のトナー像を定着させる定着装置８と，画像形成前の用紙を載置する給紙カセット９１と，画像形成後の用紙を載置する排紙トレイ９２とを備えている。
【００２０】
画像形成部１０内には，底部に位置する給紙カセット９１に収容された用紙が，給紙ローラ７２，レジストローラ７３，プロセス部５０，定着装置８を通り，排紙ローラ７４を介して上部の排紙トレイ９２への導かれるように，略Ｓ字形状の搬送経路が設けられている。すなわち，画像形成部１０は，給紙カセット９１に載置されている用紙を１枚ずつ取り出し，その用紙をプロセス部５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９２に排出する。
【００２１】
プロセス部５０は，感光体ドラム１と，感光体ドラム１の表面を一様に帯電する帯電装置２と，感光体ドラム１の表面に光を照射して静電潜像を形成する露光装置３と，静電潜像に対してトナーによる現像を行う現像装置４と，感光体ドラム１上のトナー像を用紙に転写させる転写装置５と，感光体ドラム１上の残留トナーを除去するクリーニングブレード６とを有している。感光体ドラム１，帯電装置２，現像装置４，およびクリーニングブレード６は，プロセスカートリッジとして構成され，装置本体に対して着脱可能になっている。
【００２２】
プロセス部５０では，感光体ドラム１の表面が帯電装置２によって一様に帯電される。その後，露光装置３からの光により露光され，用紙に形成すべき画像の静電潜像が形成される。次いで，現像装置４を介して，トナーが感光体ドラム１に供給される。これにより，感光体ドラム１上の静電潜像は，トナー像として可視像化される。
【００２３】
また，画像形成部１０内には，手差し口９３から挿入された用紙が，搬入ローラ７５，レジストローラ７３，プロセス部５０，定着装置８を通り，排紙ローラ７４を介して上部の排紙トレイ９２への導かれる手差し給紙用の搬送経路が設けられている。すなわち，本形態のプリンタ１００では，給紙トレイとして，給紙カセット９１と手差し口９３との２つの選択肢がある。
【００２４】
また，画像形成部１０は，所定範囲内に存在するＲＦＩＤタグを検知し，そのＲＦＩＤタグに対してデータの読み出しおよび書き込みを行うことが可能なＲ／Ｗ装置８１（無効化手段の一例）を備えている。Ｒ／Ｗ装置８１は，手差しによる搬送経路上，搬入ローラ７５とレジストローラ７３との間に配置される。
【００２５】
［ＭＦＰの電気的構成］
続いて，ＭＦＰ１００の電気的構成について説明する。ＭＦＰ１００は，図３に示すように，ＣＰＵ３１と，ＲＯＭ３２と，ＲＡＭ３３と，ＮＶＲＡＭ３４と，ＡＳＩＣ３５と，ネットワークインタフェース３６と，ＦＡＸインタフェース３７とを備えた制御部３０を有している。
【００２６】
ＣＰＵ３１は，ＭＦＰ１００における画像読取機能，画像形成機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００２７】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素（例えば，画像形成部１０を構成する露光装置の点灯タイミング，用紙の搬送路を構成する各種ローラの駆動モータ（不図示），画像読取部２０を構成するイメージセンサユニットの移動用モータ（不図示））を，ＡＳＩＣ３５を介して制御する。
【００２８】
ネットワークインターフェース３６は，インターネット等のネットワークに接続され，ＰＣ等の情報処理装置との接続を可能にしている。ＦＡＸインターフェース３７は，電話回線に接続され，相手先のＦＡＸ装置との接続を可能にしている。そして，ネットワークインターフェース３６やＦＡＸインターフェース３７を介してジョブのやりとりを行うことができる。
【００２９】
［ＭＦＰの無効化処理］
［第１の形態］
続いて，ＭＦＰ１００にて，ＲＦＩＤタグ（記憶媒体の一例）が添付された用紙の，ＲＦＩＤタグに記憶されているデータ（以下，「タグ情報」とする）の無効化を行う際の，無効化処理（無効化手段，画像形成手段の一例）の手順について，図４のフローチャートを参照しつつ説明する。本処理は，操作パネル４０にてＲＦＩＤタグの無効が指示されたことを契機に実行される。
【００３０】
まず，図５に示すように，表示部４１に，無効化処理が開始したことを通知するメッセージを表示する（Ｓ１０１）。メッセージには，給紙トレイの指定や，用紙の配置等が含まれる。なお，通知方法は，メッセージに限らず，例えば音声であってもよい。
【００３１】
次に，搬入ローラ７５によって，手差し口９３に挿入された用紙を検知する（Ｓ１０２）。そして，用紙が挿入されたことを契機に，Ｒ／Ｗ装置８１がＲＦＩＤタグとの交信を試みることによってＲＦＩＤタグを捜索する（Ｓ１０３）。
【００３２】
次に，ＲＦＩＤタグが検知されたか否か，すなわち用紙にＲＦＩＤタグが添付されていたか否かを判断する（Ｓ１０４）。ＲＦＩＤタグが検知されなかった場合には（Ｓ１０４：ＮＯ），Ｓ１０５のデータ消去処理およびＳ１０６のタグ情報印刷処理１をバイパスし，当該用紙を排紙して（Ｓ１０７），本処理を終了する。
【００３３】
一方，ＲＦＩＤタグが検知された場合には（Ｓ１０４：ＹＥＳ），そのＲＦＩＤタグのタグ情報を消去するデータ消去処理を行う（Ｓ１０５）。図６は，Ｓ１０５のデータ消去処理の手順を示している。
【００３４】
まず，搬入ローラ７５およびレジストローラ７３を停止することで，用紙の搬送を停止する（Ｓ２０１）。次に，ＲＦＩＤタグにアクセスし，タグ情報を読み取る（Ｓ２０２）。読み取られたタグ情報は，ＲＡＭ３３ないしＮＶＲＡＭ３４に一時的に記憶される。
【００３５】
その後，ＲＦＩＤタグに記憶されているタグ情報をＲＦＩＤタグから消去する（Ｓ２０３）。これにより，ＲＦＩＤタグが無効になる。次に，タグ情報の消去が成功したか否かを，ＲＦＩＤタグと交信することで確認する（Ｓ２０４）。データの消去が成功していない場合には（Ｓ２０４：ＮＯ），Ｓ２０３の処理に戻ってデータの消去を再実行する。一方，データの消去に成功した場合には（Ｓ２０４：ＹＥＳ），用紙の搬送を再開する（Ｓ２０５）。
【００３６】
図４の無効化処理の説明に戻り，Ｓ１０５でのタグ情報の消去後は，Ｓ１０５のデータ消去処理の際に記憶したタグ情報の内容を印刷するタグ情報印刷処理１を行う（Ｓ１０６）。図７は，Ｓ１０６のタグ情報印刷処理１の手順を示している。
【００３７】
まず，Ｓ１０５のデータ消去処理の際に記憶したタグ情報を基に，タグ情報開示用の画像を作成する（Ｓ３０１）。例えば，ＲＦＩＤタグに画像が記憶されている場合には，その画像をそのまま情報開示用の画像とする。また，画像の他に，画像作成者や作成日時等の属性が記憶されている場合には，その属性と画像とを組み合わせた画像を作成する。また，ＲＦＩＤタグに複数ページ分の画像が記憶されている場合には，複数の画像を並べて配置した画像，あるいは先頭ページの画像と残りページがあることのメモとを組み合わせた画像を作成する。作成される画像は，タグ情報の内容が認識できるものであればよく，タグ情報に合わせて適宜編集される。
【００３８】
その後，作成した画像を，そのＲＦＩＤタグが添付されている用紙に印刷する（Ｓ３０２）。印刷後は，ＲＡＭ３３ないしＮＶＲＡＭ３４に記憶したタグ情報を削除する（Ｓ３０３）。そして，図４の無効化処理の説明に戻り，当該用紙を排紙トレイ９２上に排紙して（Ｓ１０７），本処理を終了する。
【００３９】
すなわち，第１の形態の無効化処理では，ＲＦＩＤタグが添付された用紙をＭＦＰ１００にて無効化する際に，図８に示すように，ＲＦＩＤタグ６１のタグ情報を用紙６０に印刷する。これにより，ＲＦＩＤタグ６１が添付された用紙６０について，そのＲＦＩＤタグ６１が無効化済みであるか否かを容易に視認することができる。また，ＲＦＩＤタグ６１のタグ情報の内容を認識できる画像を印刷するため，ＲＦＩＤタグ６１のタグ情報が消去された後でもその内容を把握できる。
【００４０】
［第２の形態］
続いて，タグ情報印刷処理の第２の形態について説明する。第２の形態のタグ情報印刷処理２では，図９に示すように，ＲＦＩＤタグ６１のタグ情報を用紙６０に印刷せず，そのタグ情報をＭＦＰ１００とネットワークを介して接続するサーバ２００（記憶部の一例）に記憶する。そして，用紙６０には，そのサーバ２００のパスを印刷する。この点，タグ情報の内容を用紙６０に印刷する第１の形態とは異なる。
【００４１】
以下，第２の形態のタグ情報印刷処理２について，図１０のフローチャートを参照しつつ説明する。なお，本形態も第１の形態と同様に，Ｓ１０５のデータ消去処理後の処理であり，第１の形態と同様の処理については同じ符号を付している。
【００４２】
まず，Ｓ１０５のデータ消去処理の際に記憶したタグ情報を，サーバ２００に送信する（Ｓ３１１）。タグ情報の送信先であるサーバ２００は，あらかじめＭＦＰ１００に設定されている。次に，タグ情報の送信が成功したか否かを，サーバ２００にアクセスして確認する（Ｓ３１２）。タグ情報の送信が成功していない場合には（Ｓ３１２：ＮＯ），Ｓ３１１の処理に戻ってタグ情報の送信を再実行する。
【００４３】
一方，タグ情報の送信に成功した場合には（Ｓ３１２：ＹＥＳ），タグ情報の送信先であるサーバ２００の情報（以下，「サーバ情報」とする）を記載した画像を作成する（Ｓ３１３）。サーバ情報としては，サーバを認識できる情報であればよく，例えば，サーバ名，保存先のディレクトリ，ＵＲＬ，ＩＰアドレスが適用可能である。そして，そのサーバ情報を含む文字列の画像，あるいはバーコードやＱＲコード（登録商標）等の特殊画像を作成する。その後，作成した画像を，そのＲＦＩＤタグが付されている用紙に印刷する（Ｓ３０２）。印刷後は，ＲＡＭ３３ないしＮＶＲＡＭ３４に記憶したタグ情報を削除する（Ｓ３０３）。
【００４４】
すなわち，第２の形態の無効化処理では，ＲＦＩＤタグ６１が添付された用紙６０をＭＦＰ１００にて無効化する際に，ＲＦＩＤタグ６１のタグ情報をサーバ２００に記録し，そのサーバ情報を用紙６０に印刷する。これにより，ＲＦＩＤタグ６１が添付された用紙６０について，そのＲＦＩＤタグ６１が無効化済みであるか否かを容易に視認することができる。さらに，ＲＦＩＤタグ６１のタグ情報が記憶されたサーバ２００にアクセスすることで，そのタグ情報を電子データとして再利用することができる。
【００４５】
［第３の形態］
続いて，タグ情報印刷処理の第３の形態について説明する。第３の形態のタグ情報印刷処理３では，タグ情報の処理形態として，用紙６０への印刷（第１の形態）か，サーバ２００への保存（第２の形態）か，あるいはタグ情報を記録しないことを，ユーザに問い合わせて選択させる。
【００４６】
以下，第３の形態のタグ情報印刷処理３について，図１１のフローチャートを参照しつつ説明する。なお，本形態も第１，第２の形態と同様に，Ｓ１０５のデータ消去処理後の処理であり，第１，第２の形態と同様の処理については同じ符号を付している。
【００４７】
まず，図１２に示すように，処理形態の選択を問う画面を表示部４１に表示し，ユーザに処理形態を問い合わせる（Ｓ３２１）。そして，用紙６０への印刷が選択された場合には（Ｓ３２２：ＹＥＳ），第１の形態と同様にタグ情報印刷処理１を実行する（Ｓ１０６）。また，サーバ２００への転送が選択された場合には（Ｓ３２４：ＹＥＳ），第２の形態と同様にタグ情報印刷処理２を実行する（Ｓ３２５）。一方，いずれの選択も行われなかった場合には（Ｓ３２４：ＮＯ），タグ情報を記録しない，すなわち消去することが選択されたことになり，ＲＡＭ３３ないしＮＶＲＡＭ３４に記憶したタグ情報を削除し（Ｓ３０３），本処理を終了する。
【００４８】
すなわち，第３の形態の無効化処理では，ＲＦＩＤタグ６１から取得したタグ情報の処理形態を選択可能にしている。そのため，タグ情報の内容やユーザの利用状況に適した運用を図ることができ，利便性が高い。
【００４９】
［第４の形態］
続いて，タグ情報印刷処理の第４の形態について説明する。第４の形態のタグ情報印刷処理４では，タグ情報に記憶されている属性データに応じて，タグ情報の処理形態を自動的に選択する。この点，ユーザに問い合わせる第３の形態と異なる。
【００５０】
ＭＦＰ１００には，あらかじめタグ情報の属性のうちの少なくとも１つが登録される。本形態では，ＲＦＩＤタグ６１の属性として重要度が記憶されているものとする。そして，ＭＦＰ１００には，属性として重要度が登録されており，重要度の値（大，中，小等）に応じて自動的に処理形態を振り分ける。
【００５１】
以下，第４の形態のタグ情報印刷処理４について，図１３のフローチャートを参照しつつ説明する。なお，本形態も第１，第２，第３の形態と同様に，Ｓ１０５のデータ消去処理後の処理であり，第１，第２，第３の形態と同様の処理については同じ符号を付している。
【００５２】
まず，タグ情報を解析し，ＭＦＰ１００に登録されている属性のデータを抽出する（Ｓ３３１）。そして，その属性の値がＸであった場合には（Ｓ３３２：ＹＥＳ），第１の形態と同様にタグ情報印刷処理１を実行する（Ｓ１０６）。また，その属性の値がＹであった場合には（Ｓ３３４：ＹＥＳ），第２の形態と同様にタグ情報印刷処理２を実行する（Ｓ３２５）。一方，いずれの値にも該当しなかった場合には（Ｓ３３４：ＮＯ），第３の形態と同様にタグ情報印刷処理３を実行する（Ｓ３３６）。
【００５３】
すなわち，第４の形態の無効化処理では，タグ情報から特定の属性のデータを抽出し，その属性の値を基にタグ情報の処理形態を自動的に選択している。そのため，ユーザにとって選択する手間がなく，使い勝手がよい。
【００５４】
以上詳細に説明したように実施の形態のＭＦＰ１００は，ＲＦＩＤタグ６１を無効化し，ＲＦＩＤタグ６１を無効化した後は，無効化されたＲＦＩＤタグ６１を添付する用紙に対して，ＲＦＩＤタグ６１を無効化したことを示す画像，例えばタグ情報の内容を示す画像やタグ情報を保存したサーバ２００の位置を示す画像を印刷している。これにより，ユーザは，ＲＦＩＤタグ６１が無効化された状態か否かを，その用紙６０を見るだけで容易に把握できる。
【００５５】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，プリンタ，コピー機，ＦＡＸ装置等，画像形成機能を備えるものであれば適用可能である。
【００５６】
また，実施の形態では，手差し給紙用の搬送経路上にＲ／Ｗ装置８１を配置し，手差し口９３からの給紙によって無効化処理を実行しているが，これに限るものではない。例えば，給紙カセット９１からの搬送経路上にＲ／Ｗ装置８１を配置し，給紙カセット９１からの給紙によって無効化処理を実行してもよい。
【００５７】
また，実施の形態では，ＲＦＩＤタグ６１に記憶されているタグ情報を，用紙ないしサーバに記録し，完全には消去しない構成としているが，情報の秘匿性の観点からは好ましくない。そこで，ＲＦＩＤタグ６１に記憶されているタグ情報を記録せず，図１４に示すように，無効化したことを示すマークないし文字列のみを印刷してもよい。これにより，少なくとも添付されているＲＦＩＤタグ６１が無効化済みであるか否かを視認することができるとともに，そのタグ情報が流出することを防ぐことができる。
【００５８】
また，実施の形態では，タグ情報を無効化する手段として，ＲＦＩＤタグからそのタグ情報を削除しているが，無効化手段はこれに限るものではない。例えば，ＲＦＩＤタグのデータとして，無効であるか否かを意味するフラグを記憶し，無効化処理の際にはそのフラグを書き換えるように構成してもよい。そして，そのフラグが無効を意味する状態になっているときは，フラグ以外のデータの読み書きを制限するように構成することで，データの使用を制限することができる。
【００５９】
また，実施の形態は，ＲＦＩＤタグ６１のタグ情報を，用紙６０に印刷するか，サーバ２００に保存するかのいずれか一方の処理形態を行うことにしているが，両方の処理を行ってもよい。すなわち，タグ情報をサーバ２００に保存するとともに，そのタグ情報の内容を用紙６０に印刷するように構成してもよい。
【図面の簡単な説明】
【００６０】
【図１】実施の形態にかかるＭＦＰの外観を示す図である。
【図２】ＭＦＰの画像形成部の構成を示す断面図である。
【図３】実施の形態にかかるＭＦＰの電気的構成を示すブロック図である。
【図４】第１の形態における無効化処理の手順を示すフローチャートである。
【図５】無効化処理開始時の表示部の表示例を示す図である。
【図６】第１の形態におけるデータ消去処理の手順を示すフローチャートである。
【図７】第１の形態におけるタグ情報印刷処理１の手順を示すフローチャートである。
【図８】第１の形態における無効化処理の概念を示す図である。
【図９】第２の形態における無効化処理の概念を示す図である。
【図１０】第２の形態におけるタグ情報印刷処理２の手順を示すフローチャートである。
【図１１】第３の形態におけるタグ情報印刷処理３の手順を示すフローチャートである。
【図１２】無効化形態選択時の表示部の表示例を示す図である。
【図１３】第４の形態におけるタグ情報印刷処理４の手順を示すフローチャートである。
【図１４】無効化したことを示すマークのみを印刷した状態の，用紙の一例を示す図である。
【符号の説明】
【００６１】
１０    画像形成部
２０    画像読取部
３０    制御部
４１    表示部
５０    プロセス部
６０    用紙
６１    ＲＦＩＤタグ
８１    Ｒ／Ｗ装置
９３    手差しトレイ口
１００  ＭＦＰ
【図１】
2010117825.tif 000003
【図２】
2010117825.tif 000004
【図３】
2010117825.tif 000005
【図４】
2010117825.tif 000006
【図５】
2010117825.tif 000007
【図６】
2010117825.tif 000008
【図７】
2010117825.tif 000009
【図８】
2010117825.tif 000010
【図９】
2010117825.tif 000011
【図１０】
2010117825.tif 000012
【図１１】
2010117825.tif 000013
【図１２】
2010117825.tif 000014
【図１３】
2010117825.tif 000015
【図１４】
2010117825.tif 000016